(57)【要約】【課題】印刷箇所が正面に表出する夫々の状態において、書面の外形状が変化することなく、また、開動作の度に正面を構成する印刷面が全て切り替わることで、印刷の意匠を制限することなく施せる、４面の印刷面が循環して表出する印刷書面を提供する。【解決手段】４面の印刷面が循環して表出する印刷書面を、矩形の印刷用紙に、所定の切断削除箇所と、縦方向と横方向に夫々、所定の４本ずつの山折り線及び谷折り線と、表裏夫々所定の４箇所の接着箇所とを設け、所望の印刷を施し、組み立てることにより構成した。これにより、印刷箇所が正面に表出する夫々の状態において、書面の外形状が変化することを防ぎ、また、開動作の度に正面を構成する印刷面を全て切り替えることができる。【選択図】図１
2008055885.tif 000002
【特許請求の範囲】
【請求項１】
所定の切断線及び折り曲げ線によって構成される矩形状の用紙に所望の印刷を施すとともに、該切断線で切断し、該折り曲げ線にて折り畳み、表裏夫々、所定の箇所を接着することにより組み立てられる印刷書面であって、開動作の度に書面の外形状が変化せず、かつ正面を構成する印刷面が全て切り替わることを特徴とした、４面の印刷面が循環して表出する印刷書面。
【請求項２】
複数個の部分に分割された用紙を接着剤にて接合することにより構成されたことを特徴とする請求項１記載の印刷書面。
【発明の詳細な説明】
【技術分野】
【０００１】本発明は、名刺、パンフレット、宣伝媒体等に使用し得る、開動作の度に書面の外形状が変化せず、かつ正面を構成する印刷面が全て切り替わる、４面の印刷面が循環して表出する印刷書面に関する。
【背景技術】
【０００２】従来、一枚の用紙に所望の印刷を施すとともに、所定の切断線で切断し、所定の折り曲げ線で折り畳み、所定の箇所で接着することにより組み立てられる、４面の印刷面が循環して表出する印刷書面としては、ＵＳ  Ｐａｔｅｎｔ＃５７５９３２８記載の技術が挙げられる。【０００３】以下、図１３、図１４、図１５により従来の４面の印刷面が循環して表出する印刷書面について説明する。図１３は該印刷書面の組み立て前の展開した状態の用紙Ｆを正面から見た図である。図中、太線は切断線を示し、破線は山折り線を示し、一点鎖線は谷折り線を示し、二点鎖線は印刷箇所と接着箇所の境界線を示す。また、図中の網目部は接着部を示し、該谷折り線で折り畳むことにより相対する面が接合する。斜線部は印刷箇所ａ部を示し、網点部は印刷箇所ｂ部を示す。用紙Ｆは図示する切断線で切断され、山折り線及び谷折り線で折り畳まれ、接着箇所で接着されることにより、組み立てを完了する。【０００４】図１４は用紙Ｆの組み立て完了後、第１山折り線４９、第２山折り線５０、第３山折り線５１、第４山折り線５２を中心軸として書面を展開した状態を表し、このとき、正面には印刷箇所ａ部だけが表出されている。【０００５】図１５は、該書面を、図１４中の第１山折り線４９、第２山折り線５０、第３山折り線５１、第４山折り線５２を中心軸として折り畳んだ状態であり、図１４中では隠蔽されていた印刷箇所ｂ部が表出された状態を示す。【０００６】
【特許文献１】  ＵＳ  Ｐａｔｅｎｔ＃５７５９３２８
【発明の開示】
【発明が解決しようとする課題】
【０００７】しかし、上述の技術においては、第一に印刷箇所ｂ部を表出させる開動作によって、外形状が矩形Ｆａから十字型Ｆｂに変化するので、印刷の意匠を施す上での統一性に欠けるとともに、意匠を考案する際にも制限が大きいという問題があった。第二に印刷箇所ｂ部が表出する状態において、印刷箇所ａ部の一部が隠蔽されないで視認されるので表出する面ごとに自由に新たな印刷の意匠を施すということが困難であった。【０００８】本発明は前述の問題点を踏まえ、４面の印刷箇所が正面に表出する夫々の状態において、書面の外形状が変化することなく、また、開動作の度に正面を構成する印刷面が全て切り替わるようにすることで、印刷の意匠を制限することなく施せる全く新しい、印刷面が循環して表出する印刷書面を提供するものである。
【課題を解決するための手段】
【０００９】上記課題を解決するために、本発明では、左右方向に横長の矩形用紙に対し、以下に示す方法で、展開図を構成し、所望の印刷を施して組み立てるものとした。なお、左右方向とは、説明の便宜上、用紙の配置を規定したものに過ぎず、縦長の状態を正位置として印刷を施しても構わない。【００１０】図１は本発明の一様態としての、組み立て前の展開した状態での用紙Ｐを正面から見た図である。図中、太線は切断線を示し、破線は山折り線を示し、一点鎖線は谷折り線を示し、二点鎖線は印刷箇所と接着箇所の境界線を示す。第１山折り線１と第２山折り線２、第３山折り線３と第４山折り線４、第５山折り線５と第６山折り線６、第７山折り線７と第８山折り線８は夫々、同一直線上に位置する。また、第１谷折り線９と第２谷折り線１０、第３谷折り線１１と第４谷折り線１２、第５谷折り線１３と第６谷折り線１４、第７谷折り線１５と第８谷折り線１６は夫々、同一直線上に位置する。切断線は図示するように、第１谷折り線９と第３谷折り線１１、及び第５山折り線５と第７山折り線７の延長線上に位置する。印刷箇所と接着箇所の境界線である第１境界線１７と第２境界線１８、第３境界線１９と第４境界線２０は夫々同一直線上に位置する。また、図中のハッチング部は図に示す通り、夫々、接着箇所と印刷箇所ａ部と印刷箇所ｂ部を示す。【００１１】図２は上述した図１の展開状態の用紙Ｐを背面から見た図である。図中、太線は切断線を示し、破線は山折り線を示し、一点鎖線は谷折り線を示し、二点鎖線は印刷箇所と接着箇所の境界線を示す。図２における山折り線と谷折り線は夫々、図１における谷折り線と山折り線が裏面にあらわれたものであるので、図１の山折り線、谷折り線に対応する部位には対応する番号にサフィックス「Ｈ」をつけて表した。印刷箇所と接着箇所の境界線である第５境界線２１と第６境界線２２、第７境界線２３と第８境界線２４は夫々同一直線上に位置する。また、図中のハッチング部は図に示す通り、夫々、接着箇所と印刷箇所ｃ部と印刷箇所ｄ部を示す。【００１２】上述した図中の折り曲げ線及び印刷箇所と接着箇所の境界線は、必ずしも展開図の左右および上下の中心軸に対して対称である必要はなく、以下に説明する距離関係を満たして配置されればよい。図１において、ｄｘ２とｄｘ３の長さは等しく、ｄｘ５とｄｘ６の長さは等しい。又、ｄｘ３とｄｘ５の長さの合計はｄｘ４の長さに等しく、ｄｘ１とｄｘ７の長さの合計はｄｘ４の長さに等しい。図２において、ｄｙ２とｄｙ３の長さは等しく、ｄｙ５とｄｙ６の長さは等しい。又、ｄｙ３とｄｙ５の長さの合計はｄｙ４の長さに等しく、ｄｙ１とｄｙ７の長さの合計はｄｙ４の長さに等しい。【００１３】上述した展開状態の用紙Ｐの線切断線で囲まれた部分Ｑは切断削除される。次に用紙Ｐは図示する山折り線及び谷折り線で折り畳まれる。さらに接着箇所を接着剤により接着されることにより組み立てを完了する。このとき、図１において第１接着箇所左２５ａは第１接着箇所右２５ｂと、第２接着箇所左２６ａは第２接着箇所右２６ｂと、第３接着箇所左２７ａは第３接着箇所右２７ｂと、第４接着箇所左２８ａは第４接着箇所右２８ｂと夫々接合する。また図２において第５接着箇所上２９ａは第５接着箇所下２９ｂと、第６接着箇所上３０ａは第６接着箇所下３０ｂと、第７接着箇所上３１ａは第７接着箇所下３１ｂと、第８接着箇所上３２ａは第８接着箇所下３２ｂと夫々接合する。
【発明の他の様態】
【００１４】本発明は更に、１枚の展開図から構成されている必用はなく、複数個の部分に分割された印刷用紙を接着剤にて接合する様態にて構成してもよい。その第１例としては、図１の用紙Ｐのうち、第１谷折り線９と第２谷折り線１０、第３谷折り線１１と第４谷折り線１２を夫々、切断線とすることにより得られる４個の印刷用紙を上述のように、かつ該分割された各印刷用紙の正面と背面が反転しないように接合することで同様の構造物を得ることができる。第２例としては、図１の用紙Ｐのうち、第５山折り線５と第６山折り線６、第７山折り線７と第８山折り線８を夫々、切断線とすることにより得られる４個の印刷用紙を上述のように、かつ該分割された各印刷用紙の正面と背面が反転しないように接合することでも同様の構造物を得ることができる。
【発明の効果】
【００１５】図３は用紙Ｐの組み立てを完了した状態を図１の正面図と同方向から表した説明図である。このとき、正面には印刷箇所ａ部のみが表出する。
【００１６】印刷箇所ｂ部を表出させる場合には、図３の矢印Ａで示すように、印刷箇所ａ部を開くと、図４における谷折り線１３、１４、１５、１６を中心軸として書面が展開し、図４の状態となる。このとき、印刷箇所ａ部は背面に隠蔽され、正面には印刷箇所ｂ部のみが表出する。
【００１７】印刷箇所ｃ部を表出させる場合には、図４の矢印Ｂで示すように、印刷箇所ｂ部を開くと、図５における谷折り線１Ｈ、２Ｈ、３Ｈ、４Ｈを中心軸として書面が展開し、図５の状態となる。このとき、印刷箇所ｂ部は背面に隠蔽され、正面には印刷箇所ｃ部のみが表出する。
【００１８】印刷箇所ｄ部を表出させる場合には、図５の矢印Ｃで示すように、印刷箇所ｃ部を開くと、図６における山折り線１３Ｈ、１４Ｈ、１５Ｈ、１６Ｈを中心軸として書面が展開し、図６の状態となる。このとき、印刷箇所ｃ部は背面に隠蔽され、正面には印刷箇所ｄ部のみが表出する。
【００１９】さらに印刷箇所ｄ部が表出している状態から印刷箇所ａ部を表出させる場合には、図６の矢印Ｄで示すように、印刷箇所ｄ部を開くと、図３における山折り線１、２、３、４を中心軸として書面が展開し、図３の状態となる。このとき、印刷箇所ｄ部は背面に隠蔽され、正面には印刷箇所ａ部のみが表出する。
【００２０】上述のように本発明における印刷書面は一連の開動作を行うことにより、印刷箇所ａ部、印刷箇所ｂ部、印刷箇所ｃ部、印刷箇所ｄ部、さらに印刷箇所ａ部の順序で、４面の印刷面が循環して表出することが可能である。また一連の開動作を逆に行うことにより、印刷箇所ｄ部、印刷箇所ｃ部、印刷箇所ｂ部、印刷箇所ａ部の順序で表出させることもできる。このとき、図３、図４、図５、図６に示すように、印刷箇所ａ部、印刷箇所ｂ部、印刷箇所ｃ部、印刷箇所ｄ部が正面に表出している状態での夫々の外形状、Ｐａ、Ｐｂ、Ｐｃ、Ｐｄは同一の形状を保つので、本印刷書面を製作する場合、外形状に左右されることなく、自由に印刷上の意匠を施すことができるものとなっている。また、印刷箇所ａ部、印刷箇所ｂ部、印刷箇所ｃ部、印刷箇所ｄ部が表出している夫々の状態では、他の印刷箇所は背面及び、折り畳まれた内側に隠蔽されて正面から見えないので、本印刷書面を作成する場合、印刷上の意匠を制約することがなく優れている。従って、単純な開動作によって外形状が変化せず、４種類の異なった印刷面が次々と切り替わり表出するため、製作者は印刷を自由に施すことができるので、見る者の興味を引き易く、訴求力の高い印刷物を提供することができる。
【発明を実施するための最良の形態】
【００２１】本発明は手指による開動作を行うことにより印刷面が表出するので、使用する用紙は連続した開動作を可能とする硬度があり、かつ簡単に折り目が破断しないだけの強度のある用紙を使用することが望ましい。用紙に折り目を施す際は、型押し等による凹溝だけでなく、ミシン目を用いてもよい。また、接着剤も容易に剥離しないものを使用することが好ましい。
【実施例】
【００２２】以下、本印刷書面の組み立て前の展開状態と組み立て後の状態の印刷箇所の位置関係を図に従って説明する。図７は組み立て前の展開状態の用紙の印刷箇所ａ部と印刷箇所ｂ部に一例としてのイラストを施した説明図である。図９は本発明の一例としてのイラストを施した組み立て後の印刷書面の印刷箇所ａ部が正面に表出した状態を示す説明図である。図１０は同じく一例としてのイラストを施した組み立て後の印刷書面の印刷箇所ｂ部が正面に表出した状態を示す説明図である。図７中の印刷箇所ａ（１）３３、印刷箇所ａ（２）３４、印刷箇所ａ（３）３５、印刷箇所ａ（４）３６、印刷箇所ａ（５）３７及び印刷箇所ａ（６）３８は、図９に示す夫々の位置に対応してあらわれる。また印刷箇所ｂ（１）３９及び印刷箇所ｂ（２）４０は、図１０に示す夫々の位置に対応してあらわれる。図８は図７の用紙の背面図であり、印刷箇所ｃ部と印刷箇所ｄ部に一例としてのイラストを施した説明図である。図１１は本発明の一例としてのイラストを施した組み立て後の印刷書面の印刷箇所ｃ部が正面に表出した状態を示す説明図である。図１２は同じく一例としてのイラストを施した組み立て後の印刷書面の印刷箇所ｄ部が正面に表出した状態を示す説明図である。図８中の印刷箇所ｃ（１）４１及び印刷箇所ｃ（２）４２は、図１１に示す夫々の位置に対応してあらわれる。また、印刷箇所ｄ（１）４３、印刷箇所ｄ（２）４４、印刷箇所ｄ（３）４５、印刷箇所ｄ（４）４６、印刷箇所ｄ（５）４７及び印刷箇所ｄ（６）４８は、図１２に示す夫々の位置に対応してあらわれる。以上のように本印刷書面は開動作の都度、外形状が変化することなく次々と他の印刷面が表出し、かつ、印刷面が完全に切り替わるので、印刷の意匠が変化しながら表れる様を表現することにも優れている等、多大な効果を有している。【００２３】例えば、自動車のパンフレットとして使用する場合、印刷箇所ａに自動車の名称、性能、価格等の情報を掲載し、印刷箇所ｂに自動車の外観図、印刷箇所ｃに自動車の内装図、印刷箇所ｄに自動車のさらに内部の機械等の構造図を記載することができる。このとき、印刷箇所ｂ、ｃ、ｄにおいて自動車の外形状を統一しておけば、開動作を行う都度に自動車の内部が表出するので、強い印象を与えることができるとともに、夫々の図の比較が容易となって閲覧しやすい。以上の実施例以外に、名刺や、宣伝媒体等として種々の構成を採ることができ、訴求力の高い印刷書面を提供することができる。
【図面の簡単な説明】
【００２４】
【図１】本発明の一様態としての組み立て前の展開した状態を示す正面図
【図２】同組み立て前の展開した状態を示す背面図
【図３】本発明の一様態としての組み立て後の印刷箇所ａ部が正面に表出した状態を示す説明図
【図４】同組み立て後の印刷箇所ｂ部が正面に表出した状態を示す説明図
【図５】同組み立て後の印刷箇所ｃ部が正面に表出した状態を示す説明図
【図６】同組み立て後の印刷箇所ｄ部が正面に表出した状態を示す説明図
【図７】本発明の組み立て前の展開状態の用紙の印刷箇所ａ部と印刷箇所ｂ部に一例としてのイラストを施した説明図
【図８】同組み立て前の展開状態の用紙の印刷箇所ｃ部と印刷箇所ｄ部に一例としてのイラストを施した説明図
【図９】本発明の一例としてのイラストを施した組み立て後の印刷書面の印刷箇所ａ部が正面に表出した状態を示す説明図
【図１０】同一例としてのイラストを施した組み立て後の印刷書面の印刷箇所ｂ部が正面に表出した状態を示す説明図
【図１１】同一例としてのイラストを施した組み立て後の印刷書面の印刷箇所ｃ部が正面に表出した状態を示す説明図
【図１２】同一例としてのイラストを施した組み立て後の印刷書面の印刷箇所ｄ部が正面に表出した状態を示す説明図
【図１３】従来技術としての組み立て前の展開した状態を示す正面図
【図１４】従来技術としての組み立て後の印刷箇所ａ部が正面に表出した状態を示す説明図
【図１５】従来技術としての組み立て後の印刷箇所ｂ部が正面に表出した状態を示す説明図
【符号の説明】
【００２５】１  第１山折り線
２  第２山折り線
３  第３山折り線
４  第４山折り線
５  第５山折り線
６  第６山折り線
７  第７山折り線
８  第８山折り線
９  第１谷折り線
１０  第２谷折り線
１１  第３谷折り線
１２  第４谷折り線
１３  第５谷折り線
１４  第６谷折り線
１５  第７谷折り線
１６  第８谷折り線
１７  第１境界線
１８  第２境界線
１９  第３境界線
２０  第４境界線
２１  第５境界線
２２  第６境界線
２３  第７境界線
２４  第８境界線
２５ａ  第１接着箇所左
２５ｂ  第１接着箇所右
２６ａ  第２接着箇所左
２６ｂ  第２接着箇所右
２７ａ  第３接着箇所左
２７ｂ  第３接着箇所右
２８ａ  第４接着箇所左
２８ｂ  第４接着箇所右
２９ａ  第５接着箇所上
２９ｂ  第５接着箇所下
３０ａ  第６接着箇所上
３０ｂ  第６接着箇所下
３１ａ  第７接着箇所上
３１ｂ  第７接着箇所下
３２ａ  第８接着箇所上
３２ｂ  第８接着箇所下
３３  印刷箇所ａ（１）
３４  印刷箇所ａ（２）
３５  印刷箇所ａ（３）
３６  印刷箇所ａ（４）
３７  印刷箇所ａ（５）
３８  印刷箇所ａ（６）
３９  印刷箇所ｂ（１）
４０  印刷箇所ｂ（２）
４１  印刷箇所ｃ（１）
４２  印刷箇所ｃ（２）
４３  印刷箇所ｄ（１）
４４  印刷箇所ｄ（２）
４５  印刷箇所ｄ（３）
４６  印刷箇所ｄ（４）
４７  印刷箇所ｄ（５）
４８  印刷箇所ｄ（６）
Ｐ    組み立て前の展開状態の用紙
Ｐａ  組み立て後の印刷箇所ａ部が正面に表出した状態での外形状
Ｐｂ  組み立て後の印刷箇所ｂ部が正面に表出した状態での外形状
Ｐｃ  組み立て後の印刷箇所ｃ部が正面に表出した状態での外形状
Ｐｄ  組み立て後の印刷箇所ｄ部が正面に表出した状態での外形状
Ｑ    切断削除部
【図１】
2008055885.tif 000003
【図２】
2008055885.tif 000004
【図３】
2008055885.tif 000005
【図４】
2008055885.tif 000006
【図５】
2008055885.tif 000007
【図６】
2008055885.tif 000008
【図７】
2008055885.tif 000009
【図８】
2008055885.tif 000010
【図９】
2008055885.tif 000011
【図１０】
2008055885.tif 000012
【図１１】
2008055885.tif 000013
【図１２】
2008055885.tif 000014
【図１３】
2008055885.tif 000015
【図１４】
2008055885.tif 000016
【図１５】
2008055885.tif 000017